(57)【要約】【課題】ネットワークアクセス方法及び装置を提供する。【解決手段】当該方法は、３ＧＰＰアクセスネットワークのネットワークエレメントがＵＥによって報告されたＷＬＡＮネットワーク情報を受信することと、３ＧＰＰアクセスネットワークのネットワークエレメントがＷＬＡＮネットワーク情報に基づいてＵＥのアクセスを許可するＷＬＡＮネットワークを確定することと、３ＧＰＰアクセスネットワークのネットワークエレメントがＵＥにＷＬＡＮネットワークへのアクセスを指示することとを含む。本発明によれば、ＵＥが適切なＷＬＡＮネットワークにアクセスして負荷を分割することを確保でき、ユーザの体験を向上させる。【選択図】図３
2015521417.tif 000002
【特許請求の範囲】
【請求項１】
第３世代パートナーシップ・プロジェクト３ＧＰＰアクセスネットワークのネットワークエレメントが、ユーザ機器ＵＥによって報告されたＷＬＡＮネットワーク情報を受信することと、
前記３ＧＰＰアクセスネットワークのネットワークエレメントが、前記ＷＬＡＮネットワーク情報に基づいて、前記ＵＥのアクセスを許可するＷＬＡＮネットワークを確定することと、
前記３ＧＰＰアクセスネットワークのネットワークエレメントが、前記ＵＥに前記ＷＬＡＮネットワークへのアクセスを指示することとを含むネットワークアクセス方法。
【請求項２】
３ＧＰＰアクセスネットワークのネットワークエレメントがＵＥによって報告されたＷＬＡＮネットワーク情報を受信する前、
前記３ＧＰＰアクセスネットワークのネットワークエレメントが、前記ＵＥに、周期的報告、又はイベントによってトリガーする報告の報告方式、無線信号品質報告閾値の中の少なくとも一つを含む報告配置情報を送信することを更に含む請求項１に記載の方法。
【請求項３】
前記３ＧＰＰアクセスネットワークのネットワークエレメントが前記ＷＬＡＮネットワーク情報に基づいて前記ＵＥのアクセスを許可するＷＬＡＮネットワークを確定することは、
前記３ＧＰＰアクセスネットワークのネットワークエレメントが、前記ＷＬＡＮネットワーク情報が事業者によって予め配置された、アクセス許可された前記ＷＬＡＮネットワークの情報に該当するか否かを判断することと、
判断結果がＹＥＳであると、前記３ＧＰＰアクセスネットワークのネットワークエレメントが前記ＵＥのアクセスを許可するＷＬＡＮネットワークを確定することとを含む請求項１に記載の方法。
【請求項４】
前記３ＧＰＰアクセスネットワークのネットワークエレメントが前記ＵＥに前記ＷＬＡＮネットワークへのアクセスを指示することは、
前記３ＧＰＰアクセスネットワークのネットワークエレメントが前記ＵＥの前記ＷＬＡＮネットワークへのアクセスを許可するか否かを指示するための指示情報を前記ＵＥに送信することと、
前記３ＧＰＰアクセスネットワークのネットワークエレメントが前記ＵＥのアクセスを許可するＷＬＡＮネットワークの識別子情報を前記ＵＥに送信することの中の少なくとも一つを含み、
前記識別子情報は、基本サービスセット識別子、サービスセット識別子、拡張サービスセット識別子、アクセスポイントの媒体アクセス制御アドレス情報の中の少なくとも一つを含む請求項１に記載の方法。
【請求項５】
前記３ＧＰＰアクセスネットワークのネットワークエレメントが前記ＵＥに前記ＷＬＡＮネットワークへのアクセスを指示した後、
前記ＵＥ自体が、前記ＷＬＡＮネットワークにアクセスするか否かを決めることを更に含む請求項１乃至４のいずれかに記載の方法。
【請求項６】
前記３ＧＰＰアクセスネットワークのネットワークエレメントは、長期進化型ＬＴＥネットワーク中の進化型基地局ｅＮＢ、ユニバーサル移動体通信システムＵＭＴＳネットワーク中の無線ネットワークコントローラＲＮＣ、ユニバーサル移動体通信システムＵＭＴＳネットワーク中のノードＢ、グローバル移動体通信システムＧＳＭ（登録商標）ネットワーク中の基地局コントローラＢＳＣと基地局ＢＴＳの中の一つを含む請求項１乃至４のいずれかに記載の方法。
【請求項７】
前記ＷＬＡＮネットワーク情報は、基本サービスセット識別子、サービスセット識別子、拡張サービスセット識別子、チャネル情報、アクセスポイントの媒体アクセス制御アドレス情報、無線信号品質情報、受信信号強度指示情報の中の少なくとも一つを含む請求項１乃至４のいずれかに記載の方法。
【請求項８】
第３世代パートナーシップ・プロジェクト３ＧＰＰアクセスネットワークのネットワークエレメントに適用されるネットワークアクセス装置であって、
ユーザ機器ＵＥが報告したＷＬＡＮネットワーク情報を受信するように構成されている受信モジュールと、
前記ＷＬＡＮネットワーク情報に基づいて前記ＵＥのアクセスを許可するＷＬＡＮネットワークを確定するように構成されている確定モジュールと、
前記ＵＥに前記ＷＬＡＮネットワークへのアクセスを指示するように構成されている指示モジュールと、を含むネットワークアクセス装置。
【請求項９】
前記ＵＥに、周期的報告、又はイベントによってトリガーする報告の報告方式、無線信号品質報告閾値の中の少なくとも一つを含む報告配置情報を送信するように構成されている送信モジュールを更に含む請求項８に記載の装置。
【請求項１０】
前記指示モジュールは、
前記ＵＥの前記ＷＬＡＮネットワークへのアクセスを許可するか否かを指示するための指示情報を前記ＵＥに送信するように構成されている第１の送信サブモジュールと、
前記ＵＥのアクセスを許可するＷＬＡＮネットワークの識別子情報を前記ＵＥに送信するように構成されている第２の送信サブモジュールを含み、
前記識別子情報は基本サービスセット識別子、サービスセット識別子、拡張サービスセット識別子、アクセスポイントの媒体アクセス制御アドレス情報の中の少なくとも一つを含む請求項８に記載の装置。
【発明の詳細な説明】
【技術分野】
【０００１】
本発明は、通信分野に関し、具体的に、ネットワークアクセス方法及び装置に関する。
【背景技術】
【０００２】
無線通信技術及びその標準が絶えずに進化するに伴って、移動パケットサービスも大きく発展していて、単一のＵＥのデータ処理能力もますます向上している。長期進化型（Ｌｏｎｇ  Ｔｅｒｍ  Ｅｖｏｌｕｔｉｏｎ、ＬＴＥと略称）システムを例にすると、２０Ｍの帯域幅内で下りの最大レートが１００Ｍｂｐｓであるデータ伝送を支援することができ、後続の強化ＬＴＥ（ＬＴＥ  Ａｄｖａｎｃｅｄ）システムにおいて、データの伝送レートは更に向上し、１Ｇｂｐｓに達する。
【０００３】
ＵＥのデータサービス量が膨張的に増加し、既存のネットワークリソースが足らなくなって、特に、新世代の通信技術（例えば、３Ｇ、ＬＴＥ）のネットワークが広く構築されていない状況下、ユーザのレートやトラフィックの需要を満たすことのできない問題が発生し、ユーザの体験が悪化している。このような状況を如何に予防し改善するかは、事業者の必ず考慮すべき問題である。新規技術の普及及びネットワークの配置を加速化する一方、既存のネットワーク及び技術を強化することでネットワークの性能を向上させる目的を達成することが期待されている。周知のように、第３世代パートナーシップ・プロジェクト（Ｔｈｅ  ３ｒｄ  Ｇｅｎｅｒａｔｉｏｎ  Ｐａｒｔｎｅｒｓｈｉｐ  Ｐｒｏｊｅｃｔ、３ＧＰＰと略称）に提供される無線ネットワーク技術以外に、現在既に汎用されている無線ＬＡＮ（Ｗｉｒｅｌｅｓｓ  Ｌｏｃａｌ  Ａｒｅａ  Ｎｅｔｗｏｒｋ、ＷＬＡＮと略称）、特にＩＥＥＥ８０２．１１規格に基づく無線ＬＡＮは既に家庭、企業、ひいてはインターネットでホットスポットアクセスカバーに広く用いられている。ここで、ＷＩＦＩアライアンス（Ｗｉ−Ｆｉ  Ａｌｌｉａｎｃｅ）により提出された技術規範の応用が最も広いので、実際において、ＷＩＦＩネットワークは常にＩＥＥＥ８０２．１１規格に基づくＷＬＡＮネットワークと同等視され、混淆しない場合、以下、ＷＩＦＩモジュールでネットワークノード中のＷＬＡＮを支援する無線送受信及び処理モジュールを記述する。
【０００４】
この前提で、一部の事業者及び会社はＷＬＡＮと既存の３ＧＰＰアクセスネットワークとを融合させてジョイント伝送を実現し、ＷＬＡＮネットワークによって既存の３ＧＰＰアクセスネットワークの負荷を低減（Ｏｆｆｌｏａｄ）しネットワークの性能を向上させる目的を達成することを提案している。現在、３ＧＰＰは３ＧＰＰアクセスネットワークとＷＬＡＮネットワークとのインタワーキング（Ｉｎｔｅｒｗｏｒｋｉｎｇ）に関連するプロトコルが作成されており、図１は、関連技術に係るネットワークインタワーキングプロトコルの構造を示す図である。図１に示すように、現在の３ＧＰＰのＩｎｔｅｒｗｏｒｋｉｎｇ  ＷＬＡＮ構造によると、ＷＬＡＮネットワークが３ＧＰＰアクセスネットワーク内の認証・授権・課金サーバ（Ａｕｔｈｅｎｔｉｃａｔｉｏｎ  Ａｕｔｈｏｒｉｚａｔｉｏｎ  Ａｃｃｏｕｎｔｉｎｇ、ＡＡＡと略称）を用いて統一的に認証・授権すると共に、既存の３ＧＰＰアクセスネットワーク中のパケットデータネットワークゲートウェイをＷＬＡＮネットワークのパケットデータゲートウェイとすることを許可し、同時に、二つのネットワークの統一の課金等を実現し、二つのネットワークの疎結合を実現できる。しかし、現在のＩｎｔｅｒｗｏｒｋｉｎｇ構造には問題が存在し、例えば、現在のＩｎｔｅｒｗｏｒｋｉｎｇはＵＥユーザ機器（Ｕｓｅｒ  Ｅｑｕｉｐｍｅｎｔ、ＵＥと略称）によりトリガーされ、ネットワーク側はターゲットネットワークに対する能動的な選択権がなく、ネットワーク側がＵＥによるネットワークへのアクセスを制御する権利を失うと、事業者はユーザを、事業者が希望する又は最適なターゲットネットワークへアクセスするようにガイドすることができなくなる。そして、ＵＥは、ネットワーク側、例えば３ＧＰＰアクセスネットワークとＷＬＡＮネットワークがｉｎｔｅｒｗｏｒｋｉｎｇを支援するか否かを把握できないので、現在のネットワークとｉｎｔｅｒｗｏｒｋｉｎｇすることのできないターゲットネットワークを選択してしまうおそれがある。
【０００５】
一方、現在のネットワークインタワーキングには他の問題も存在し、例えばＵＥユーザ機器が３ＧＰＰアクセスネットワークとＷＬＡＮネットワークとの間で移動する場合、データストリームのハンドオーバーが遅く、そして、この場合に、二つのネットワークのデータストリームがいずれも３ＧＰＰコアネットワークのネットワークエレメントを通過しなければならないので、負荷が大きくなる。また、重要なこととして、現在の構造は事業者が独立した３ＧＰＰアクセスネットワークと独立した完全なＷＬＡＮネットワークを有することに依存し、これにより、事業者は同時に複数のネットワークを保守しなければならず、運営資本支出（Ｃａｐｉｔａｌ  Ｅｘｐｅｎｄｉｔｕｒｅ、ＣＡＰＥＸと略称）が大きくなる。
【０００６】
従って、ＷＬＡＮと３ＧＰＰアクセスネットワークをより一層融合させるため、関連企業はキャリアアグリゲーションに類似するネットワーク融合案を提案していて、その大体の構造は図２に示すとおりである。図２は、関連技術に基づく関連企業のネットワーク融合案を示す図で、図２において、ＷＬＡＮは独立したネットワークとして存在するのではなく、ただ既存の３ＧＰＰアクセスネットワーク中のアクセスネットワークとＵＥとの間で伝送する一つのデータ接続として存在し、アクセスネットワークのＵＥに対する主な管理及び可能な一部のデータ伝送は、３ＧＰＰアクセスネットワークに基づく接続で伝送され、これはキャリアアグリゲーションに類似していて、即ち、３ＧＰＰアクセスネットワークの接続をメインキャリアとし、アクセスネットワークとＵＥのＷＩＦＩモジュールによって構築されたＷＬＡＮ接続をサブキャリアとして、メインキャリアでの伝送の負荷分割を実現する。しかし、このような構造では、３ＧＰＰアクセスネットワークとＷＬＡＮは依然として二つの独立したネットワークであり、３ＧＰＰアクセスネットワークは依然として、負荷分割すべきＷＬＡＮネットワークがどれであるか、また当該ＷＬＡＮネットワークが利用可能であるか否かを事前に把握できなく、同時に、上記ｉｎｔｅｒｗｏｒｋｉｎｇに存在する問題も依然として存在している。
【発明の概要】
【発明が解決しようとする課題】
【０００７】
本発明の実施例は、少なくとも関連技術において３ＧＰＰアクセスネットワークが負荷分割（分流）すべきＷＬＡＮネットワークを事前に確定できない問題を解決できるネットワークアクセス方法及び装置を提供する。
【課題を解決するための手段】
【０００８】
本発明の実施例は、３ＧＰＰアクセスネットワークのネットワークエレメントがＵＥによって報告されたＷＬＡＮネットワーク情報を受信することと、３ＧＰＰアクセスネットワークのネットワークエレメントがＷＬＡＮネットワーク情報に基づいてＵＥのアクセスを許可するＷＬＡＮネットワークを確定することと、３ＧＰＰアクセスネットワークのネットワークエレメントがＵＥにＷＬＡＮネットワークへのアクセスを指示することとを含むネットワークアクセス方法を提供する。
【０００９】
３ＧＰＰアクセスネットワークのネットワークエレメントがＵＥによって報告されたＷＬＡＮネットワーク情報を受信する前、３ＧＰＰアクセスネットワークのネットワークエレメントがＵＥに、周期的報告、又はイベントによってトリガーする報告の報告方式、無線信号品質報告閾値の中の少なくとも一つを含む報告配置情報を送信することを更に含む。
【００１０】
３ＧＰＰアクセスネットワークのネットワークエレメントがＷＬＡＮネットワーク情報に基づいてＵＥのアクセスを許可するＷＬＡＮネットワークを確定することは、３ＧＰＰアクセスネットワークのネットワークエレメントがＷＬＡＮネットワーク情報が事業者によって予め配置された、アクセス許可されたＷＬＡＮネットワークの情報に該当するか否かを判断し、判断結果がＹＥＳであると、３ＧＰＰアクセスネットワークのネットワークエレメントがＵＥのアクセスを許可するＷＬＡＮネットワークを確定することを含む。
【００１１】
３ＧＰＰアクセスネットワークのネットワークエレメントがＵＥにＷＬＡＮネットワークへのアクセスを指示することは、３ＧＰＰアクセスネットワークのネットワークエレメントがＵＥのＷＬＡＮネットワークへのアクセスを許可するか否かを指示するための指示情報をＵＥに送信することと、３ＧＰＰアクセスネットワークのネットワークエレメントがＵＥのアクセスを許可するＷＬＡＮネットワークの識別子情報をＵＥに送信することの中の少なくとも一つを含み、識別子情報は基本サービスセット識別子、サービスセット識別子、拡張サービスセット識別子、アクセスポイントの媒体アクセス制御アドレス情報の中の少なくとも一つを含む。
【００１２】
３ＧＰＰアクセスネットワークのネットワークエレメントがＵＥにＷＬＡＮネットワークへのアクセスを指示した後、ＵＥ自体がＷＬＡＮネットワークにアクセスするか否かを決めることを更に含む。
【００１３】
３ＧＰＰアクセスネットワークのネットワークエレメントは、ＬＴＥネットワーク中のｅＮＢ、ＵＭＴＳネットワーク中のＲＮＣ、ＵＭＴＳネットワーク中のノードＢ、ＧＳＭ（登録商標）ネットワーク中のＢＳＣとＢＴＳの中の一つを含む。
【００１４】
ＷＬＡＮネットワーク情報は、基本サービスセット識別子、サービスセット識別子、拡張サービスセット識別子、チャネル情報、アクセスポイントの媒体アクセス制御アドレス情報、無線信号品質情報、受信信号強度指示情報の中の少なくとも一つを含む。
【００１５】
本発明の実施例は、３ＧＰＰアクセスネットワークのネットワークエレメントに適用する装置であって、ＵＥが報告したＷＬＡＮネットワーク情報を受信するように構成されている受信モジュールと、ＷＬＡＮネットワーク情報に基づいてＵＥのアクセスを許可するＷＬＡＮネットワークを確定するように構成されている確定モジュールと、ＵＥにＷＬＡＮネットワークへのアクセスを指示するように構成されている指示モジュールと、を含むネットワークアクセス装置を提供する。
【００１６】
上記装置は、ＵＥに、周期的報告、又はイベントによってトリガーする報告の報告方式、無線信号品質報告閾値の中の少なくとも一つを含む報告配置情報を送信するように構成されている送信モジュールを更に含む。
【００１７】
指示モジュールは、ＵＥのＷＬＡＮネットワークへのアクセスを許可するか否かを指示するための指示情報をＵＥに送信するように構成されている第１の送信サブモジュールと、ＵＥのアクセスを許可するＷＬＡＮネットワークの識別子情報をＵＥに送信するように構成されている第２の送信サブモジュールを含み、識別子情報は基本サービスセット識別子、サービスセット識別子、拡張サービスセット識別子、アクセスポイントの媒体アクセス制御アドレス情報の中の少なくとも一つを含む。
【発明の効果】
【００１８】
本発明の実施例によれば、３ＧＰＰアクセスネットワークのネットワークエレメントがＵＥによって報告されたＷＬＡＮネットワーク情報に基づいてＵＥのアクセスを許可するＷＬＡＮネットワークを確定するとともに、当該ＵＥに当該ＷＬＡＮネットワークへのアクセスを指示することで、ＵＥが適切なＷＬＡＮネットワークにアクセスして負荷を分割することができ、ユーザの体験を向上させる。
【図面の簡単な説明】
【００１９】
ここで説明する図面は、本発明をよりよく理解するために提供されるもので、本願の一部となり、本発明の例示的な実施例及びその説明は、本発明を解釈することに用いられ、本発明を不当に限定するものではない。
【図１】図１は、関連技術に係るネットワークインタワーキングプロトコルの構造を示す図である。
【図２】図２は、関連技術に係る関連企業のネットワーク融合案を示す図である。
【図３】図３は、本発明の実施例に係るネットワークアクセス方法を示すフローチャートである。
【図４】図４は、本発明の好適な実施例１に係るネットワークアクセス方法のインタワーキングを示すフローチャートである。
【図５】図５は、本発明の好適な実施例２に係るネットワークアクセス方法のインタワーキングを示すフローチャートである。
【図６】図６は、本発明の好適な実施例３に係るネットワークアクセス方法のインタワーキングを示すフローチャートである。
【図７】図７は、本発明の好適な実施例４に係るネットワークアクセス方法のインタワーキングを示すフローチャートである。
【図８】図８は、本発明の実施例に係るネットワークアクセス装置の構成を示すブロック図である。
【図９】図９は、本発明の好適な実施例に係るネットワークアクセス装置の構成を示すブロック図１である。
【図１０】図１０は、本発明の好適な実施例に係るネットワークアクセス装置の構成を示すブロック図２である。
【発明を実施するための形態】
【００２０】
以下、図面を参照しつつ実施例を結合して本発明を詳しく説明する。ここで、衝突しない限り、本願の実施例及び実施例に記載の特徴を互いに組み合わせることができる。
以下の実施例における繰り返しデータ処理方法は、繰り返しデータ処理専用のサーバに応用されることができ、１セットのサーバに応用されることもできる。あるいは、サーバ中の一つのモジュールとして、他の機能を実行するサーバと共用してもよい。
【００２１】
本発明の実施例においてネットワークアクセス方法が提供される。図３は、本発明の実施例に係るネットワークアクセス方法を示すフローチャートで、図３に示すように、以下のステップＳ３０２〜ステップＳ３０６を含む。
３ＧＰＰアクセスネットワークのネットワークエレメントが、ＵＥによって報告されたＷＬＡＮネットワーク情報を受信する（ステップＳ３０２）。
３ＧＰＰアクセスネットワークのネットワークエレメントが、ＷＬＡＮネットワーク情報に基づいてＵＥのアクセスを許可するＷＬＡＮネットワークを確定する（ステップＳ３０４）。
３ＧＰＰアクセスネットワークのネットワークエレメントが、ＵＥにＷＬＡＮネットワークへのアクセスを指示する（ステップＳ３０６）。
【００２２】
関連技術において、３ＧＰＰアクセスネットワークは負荷分割すべきＷＬＡＮネットワークを事前に確定することができない。本発明の実施例において、３ＧＰＰアクセスネットワークのネットワークエレメントは、ＵＥが報告したＷＬＡＮネットワーク情報に基づいてＵＥのアクセスを許可するＷＬＡＮネットワークを確定するとともに、当該ＵＥに当該ＷＬＡＮネットワークへのアクセスを指示することで、ＵＥが適切なＷＬＡＮネットワークにアクセスして負荷を分割することが可能となり、ユーザの体験が向上する。
【００２３】
さらに、上記ステップＳ３０２〜ステップＳ３０６のもとで、本発明は若干改良して、ユーザの体験を更に向上させる。
改良１：報告配置指示の追加
３ＧＰＰアクセスネットワークのネットワークエレメントは、ＵＥによって報告されたＷＬＡＮネットワーク情報を受信する前、ＵＥに報告配置情報を送信することができ、ここで、報告配置情報は、周期的報告、又はイベントによってトリガーする報告の報告方式、無線信号品質報告閾値等の中の少なくとも一つを含むことができる。これにより、ＷＬＡＮネットワーク情報の報告精確性を確保することができる。
【００２４】
改良２：拡張指示方式
（１）３ＧＰＰアクセスネットワークのネットワークエレメントは、ＵＥに指示情報を送信することによって、ＵＥにＷＬＡＮネットワークへのアクセスを指示することができ、ここで、指示情報はＵＥによるＷＬＡＮネットワークへのアクセスを許可するか否かを指示するためのものである。
（２）３ＧＰＰアクセスネットワークのネットワークエレメントは、ＵＥのアクセスを許可するＷＬＡＮネットワークの識別子情報をＵＥに送信し、ここで、識別子情報は、基本サービスセット識別子、サービスセット識別子、拡張サービスセット識別子、アクセスポイントの媒体アクセス制御アドレス情報の中の少なくとも一つを含む。３ＧＰＰアクセスネットワークのネットワークエレメントとＵＥとの両方がＷＬＡＮネットワークを確定できる場合、ＷＬＡＮネットワークの識別子情報がデフォルトになることが好ましい。
【００２５】
改良３：ＵＥ自体がＷＬＡＮネットワークにアクセスするか否かを決めることで、ＵＥの能動的選択性を強化する。
【００２６】
なお、３ＧＰＰアクセスネットワークのネットワークエレメントは、ＬＴＥネットワーク中の進化型基地局（ｅｖｏｌｖｅｄ  ＮｏｄｅＢ、ｅＮＢと略称）であることができ、ＵＭＴＳネットワーク中の無線ネットワークコントローラ（Ｒａｄｉｏ  Ｎｅｔｗｏｒｋ  Ｃｏｎｔｒｏｌｌｅｒ、ＲＮＣと略称）であることもでき、ＵＭＴＳネットワーク中のノードＢであることもでき、さらに、ＧＳＭ（登録商標）ネットワーク中の基地局コントローラＢＳＣとベーストランシーバ基地局（Ｂａｓｅ  Ｔｒａｎｓｃｅｉｖｅｒ  Ｓｔａｔｉｏｎ、ＢＴＳと略称）であることもできる。そして、ＷＬＡＮネットワーク情報はＵＥによって予め走査又はサーチされたものであり、基本サービスセット識別子（Ｂａｓｉｃ  Ｓｅｒｖｉｃｅ  Ｓｅｔ  Ｉｄｅｎｔｉｆｉｅｒ、ＢＳＳＩＤと略称）、サービスセット識別子（Ｓｅｒｖｉｃｅ  Ｓｅｔ  Ｉｄｅｎｔｉｆｉｅｒ、ＳＳＩＤと略称）、拡張サービスセット識別子（Ｅｘｔｅｎｄｅｄ  Ｓｅｒｖｉｃｅ  Ｓｅｔ  ＩＤ、ＥＳＳＩＤと略称）、チャネル情報（Ｃｈａｎｎｅｌ）、アクセスポイントの媒体アクセス制御アドレス情報（Ｍｅｄｉｕｍ  Ａｃｃｅｓｓ  Ｃｏｎｔｒｏｌ、ＭＡＣと略称）、無線信号品質情報、受信信号強度指示情報（Ｒｅｃｅｉｖｅｄ  Ｓｉｇｎａｌ  Ｓｔｒｅｎｇｔｈ  Ｉｎｄｉｃａｔｏｒ、ＲＳＳＩと略称）等の情報を含むことができる。
【００２７】
以下、異なる実施例を結合して本発明を更に説明する。
好適な実施例１
この好適な実施例１において、３ＧＰＰアクセスネットワークのネットワークエレメントはｅＮＢを含み、ＵＥは少なくともＬＴＥとＷＬＡＮをサポートするマルチモードの携帯電話である。
【００２８】
図４は、本発明の好適な実施例１に係るネットワークアクセス方法のインタワーキングを示すフローチャートで、図４に示すように、以下のステップＳ４０２〜ステップＳ４０８を含む。
ＵＥは、ＬＴＥネットワークで接続状態となり、走査によって、ＷＬＡＮネットワークを発見し、ビーコンを読み取ってＢＳＳＩＤ１の識別子を取得した（ステップＳ４０２）。
ＵＥは、上りメッセージ（アップリンク・メッセージ）、例えば測定報告メッセージ（Ｍｅａｓｕｒｅｍｅｎｔ  Ｒｅｐｏｒｔ  Ｍｅｓｓａｇｅ）を介して、ＵＥが取得したＷＬＡＮネットワーク情報をｅＮＢに送信し（ステップＳ４０４）、メッセージに当該ＷＬＡＮネットワークのＢＳＳＩＤ１が含まれている。
ｅＮＢは、受信後、ＵＥのアクセスを許可するか否かを判断し、その判断方法は、報告したＷＬＡＮネットワーク情報が事業者によって予め配置されたアクセス許可ネットワークに該当するか否かを比較する方法であることができ、ＵＥのアクセスを許可する場合、ｅＮＢは下りメッセージ（ダウンリンク・メッセージ）、例えば無線リソース制御（ＲＲＣ）接続再配置メッセージ又は他の新規メッセージを介して、ＵＥに当該ＷＬＡＮネットワークへのアクセスを指示し（ステップＳ４０６）、ここで、メッセージは当該利用可能なＷＬＡＮネットワークの識別子情報を持っている。
ＵＥは、受信後、指示に応じて対応するＷＬＡＮネットワークにアクセスする（ステップＳ４０８）。
【００２９】
ステップＳ４０８において、ＵＥは、受信後、直ちにアクセスすることができ、遅延して当該ＷＬＡＮネットワークにアクセスすることもできる。
【００３０】
選択的には、ステップＳ４０６において、ｅＮＢもＵＥも現在のＷＬＡＮネットワークを確定できるので、ｅＮＢは、発する下りメッセージにアクセス許可指示のみを持たせ、ＵＥに当該ＷＬＡＮへのアクセスが許可されることを指示してもよい。
【００３１】
好適な実施例２
この好適な実施例２において、３ＧＰＰアクセスネットワークのネットワークエレメントはＲＮＣとＮｏｄｅＢ（ＲＮＳと総称する）を含み、ＵＥは少なくともＵＭＴＳネットワークとＷＬＡＮをサポートするマルチモードの携帯電話である。
【００３２】
図５は、本発明の好適な実施例２に係るネットワークアクセス方法のインタワーキングを示すフローチャートで、図５に示すように、以下のステップＳ５０２〜ステップＳ５０８を含む。
ＵＥは、ＵＭＴＳネットワークで接続状態となり、走査することによって幾つかのＷＬＡＮネットワークを発見し、ＳＳＩＤ１、ＳＳＩＤ２である識別子をそれぞれを取得した（ステップＳ５０２）。
ＵＥは、上りメッセージ、例えばセル更新（Ｃｅｌｌ  Ｕｐｄａｔｅ）メッセージ又は他の上りメッセージを介して、ＷＬＡＮネットワーク情報ＳＳＩＤ１とＳＳＩＤ２をＲＮＣに報告する（ステップＳ５０４）。
ＲＮＣは、ＵＥがＳＳＩＤ１とＳＳＩＤ２にアクセスすることができるか否かを判断し、その判断方法は、ＲＮＣが予め配置した情報、又は、他のアルゴリズム情報などに基づいて判断することができ、ＲＮＣがＵＥのＳＳＩＤ２へのアクセスを許可すると判断すると、ＲＮＣは下りメッセージ、例えばセル更新確認（Ｃｅｌｌ  Ｕｐｄａｔｅ  Ｃｏｎｆｉｒｍ）又は他のメッセージを介して、利用可能なＷＬＡＮネットワーク情報を指示し、その中に利用可能なＷＬＡＮネットワークの識別子ＳＳＩＤ２がつけられている（ステップＳ５０６）。
ＵＥは、受信後、指示情報に基づいて識別子がＳＳＩＤ２であるＷＬＡＮネットワークにアクセスする（ステップＳ５０８）。
【００３３】
ステップＳ５０８において、ＵＥは、受信後、直ちにアクセスすることができるし、遅延して当該ＷＬＡＮネットワークにアクセスすることもできる。
【００３４】
好適な実施例３
この好適な実施例３において、３ＧＰＰアクセスネットワークのネットワークエレメントはＬＴＥアクセスネットワークのネットワークエレメントであるｅＮＢを含み、ＵＥは少なくともＬＴＥとＷＬＡＮをサポートするマルチモードの携帯電話である。
【００３５】
図６は、本発明の好適な実施例３に係るネットワークアクセス方法のインタワーキングを示すフローチャートで、図６に示すように、以下のステップＳ６０２〜ステップＳ６１０を含む。
ｅＮＢは下りメッセージ、例えばＲＲＣ接続再配置メッセージを介して、ＵＥにＷＬＡＮ報告配置を発し（ステップＳ６０２）、メッセージにＵＥがＷＬＡＮネットワーク情報を報告する方法が周期的報告であることが含まれ、選択的には、ｅＮＢはＵＥにＷＬＡＮネットワーク無線信号品質（例えば信号受信パワー）の報告閾値Ｔ１を配置してもよい。
ＵＥは、走査することによって、幾つかのＷＬＡＮネットワークＳＳＩＤａ、ＳＳＩＤｂ、ＳＳＩＤｃ、ＳＳＩＤｄを発見し（ステップＳ６０４）、選択的には、ＵＥが各ネットワークの無線信号品質Ｑａ、Ｑｂ、Ｑｃ、Ｑｄが閾値Ｔ１を超えたか否かを判断し、例えばＱａ、Ｑｂ、及びＱｃが閾値Ｔ１を越えている。
ＵＥは、報告配置に基づいて、上りメッセージ、例えば測定報告を介して、ネットワーク識別子ＳＳＩＤａ、ＳＳＩＤｂ、ＳＳＩＤｃ及びそれぞれの無線信号品質Ｑａ、Ｑｂ、Ｑｃを持ったＷＬＡＮネットワーク情報をｅＮＢに報告する（ステップＳ６０６）。
ｅＮＢは、ＵＥが報告したＷＬＡＮネットワークにアクセスすることができるか否かを判断し、その判断方法はネットワーク無線信号品質に基づいて判断すること、又はターゲットＷＬＡＮネットワークと本ネットワークが同一の事業者に所属するか否かを判断することなどを含み、ＱａとＱｂがネットワーク側のアクセス規格を満たすと、ｅＮＢは下りメッセージ、例えばＲＲＣ接続再配置メッセージを介して、ＵＥにアクセス可能なＷＬＡＮネットワークを指示し、その中に利用可能なＷＬＡＮネットワークの識別子ＳＳＩＤａとＳＳＩＤｂがつけられている（ステップＳ６０８）。
ｅＮＢは、受信後、ＳＳＩＤａとＳＳＩＤｂに対応するＷＬＡＮネットワークのいずれか１つを選択してアクセスする（ステップＳ６１０）。
【００３６】
好適な実施例４
この好適な実施例４において、３ＧＰＰアクセスネットワークのネットワークエレメントはＵＭＴＳアクセスネットワークＲＮＳであって、ＵＥはＵＭＴＳネットワークとＷＬＡＮをサポートするマルチモードの携帯電話である。
【００３７】
図７は、本発明の好適な実施例４に係るネットワークアクセス方法のインタワーキングを示すフローチャートで、図７に示すように、以下のステップＳ７０２〜ステップＳ７１０を含む。
ＲＮＣは、下りメッセージ、例えば測定配置メッセージを介して、ＵＥにＷＬＡＮネットワーク報告配置情報を送信し（ステップＳ７０２）、その中に、イベントによってトリガーする報告方式、Ｔ２である報告閾値が含まれている。
ＵＥは、走査することによってＷＬＡＮネットワークを発見し、その識別子はそれぞれＢＳＳＩＤａ、ＢＳＳＩＤｂであって、対応する無線信号品質ＲＳＳＩａはＴ２より大きく、ＲＳＳＩｂはＴ２未満である（ステップＳ７０４）。
ＵＥは上りメッセージ、例えば測定報告又は他の上りメッセージを介して、ＷＬＡＮネットワーク情報ＢＳＳＩＤａをＲＮＣに報告する（ステップＳ７０６）。
ＲＮＣはＵＥがＢＳＳＩＤａとＢＳＳＩＤｂへアクセスすることができないと判断し、その判断方法はＲＮＣが予め配置した情報に基づいて判断してもよいし、他のアルゴリズム情報などに基づいて判断してもよく、ＲＮＣは、ＵＥに下りメッセージ、例えば新規メッセージを送信し、メッセージ中のアクセス許可指示がＢＳＳＩＤａとＢＳＳＩＤｂに対応するＷＬＡＮネットワークへアクセスすることができないことをＵＥに指示する（ステップＳ７０８）。
ＵＥは、受信後、指示情報に基づいてＷＬＡＮａとＷＬＡＮｂネットワークへアクセスせず、継続して他のＷＬＡＮネットワークをサーチし、他のＷＬＡＮネットワークが発見されると、ステップＳ７０４〜ステップＳ７０８を再び実行する（ステップＳ７１０）。
【００３８】
なお、フローチャートに示されたステップは、例えば１セットのコンピュータ実行可能な命令によるコンピュータシステムで実行することができ、また、フローチャートに論理的順序が示されているが、場合によっては、示した又は記載したステップを、ここでの順序と異なる順序で実行することもできる。
【００３９】
本発明の実施例は、３ＧＰＰアクセスネットワークのネットワークエレメントに適用され、上記のネットワークアクセス方法を実現することのできるネットワークアクセス装置を提供する。図８は、本発明の実施例に係るネットワークアクセス装置の構成を示すブロック図で、受信モジュール８２と、確定モジュール８４と、指示モジュール８６と、を備え、以下、その構成を詳しく説明する。
【００４０】
受信モジュール８２は、ＵＥが報告したＷＬＡＮネットワーク情報を受信するように構成され、確定モジュール８４は、受信モジュール８２に接続され、受信モジュール８２が受信したＷＬＡＮネットワーク情報に基づいてＵＥのアクセスを許可するＷＬＡＮネットワークを確定するように構成され、指示モジュール８６は、確定モジュール８４に接続され、ＵＥにＷＬＡＮネットワークへのアクセスを指示するように構成されている。
【００４１】
図９は、本発明の好適な実施例に係るネットワークアクセス装置の構成を示すブロック図１で、図９に示すように、ＵＥに報告配置情報を送信する送信モジュール８８を更に備え、ここで、報告配置情報は、周期的報告、又はイベントによってトリガーする報告の報告方式、無線信号品質報告閾値の中の少なくとも一つを含む。
【００４２】
図１０は、本発明の好適な実施例に係るネットワークアクセス装置の構成を示すブロック図２で、図１０に示すように、指示モジュール８６は、第１の送信サブモジュール８６２と、第２の送信サブモジュール８６４と、を含み、以下、その構成を詳しく説明する。
第１の送信サブモジュール８６２は、ＵＥに、ＵＥのＷＬＡＮネットワークへのアクセスが許可されるか否かを指示するための指示情報を送信するように構成され、第２の送信サブモジュール８６４は、ＵＥのアクセスを許可するＷＬＡＮネットワークの識別子情報をＵＥに送信するように構成されており、ここで、識別子情報は、基本サービスセット識別子、サービスセット識別子、拡張サービスセット識別子、アクセスポイントの媒体アクセス制御アドレス情報の中の少なくとも一つを含む。
【００４３】
なお、装置実施例で説明したネットワークアクセス装置は上述した方法実施例に対応するものであって、その具体的な実現プロセスは方法実施例で既に説明したので、ここではその説明を省略する。
【００４４】
上述のように、本発明の上記実施例によれば、ネットワークアクセス方法及び装置を提供する。本発明の実施例では、３ＧＰＰアクセスネットワークのネットワークエレメントがＵＥによって報告されたＷＬＡＮネットワーク情報に基づいてＵＥのアクセスを許可するＷＬＡＮネットワークを確定して当該ＵＥに当該ＷＬＡＮネットワークへのアクセスを指示することによって、ＵＥが適切なＷＬＡＮネットワークにアクセスして負荷を分割することを確保し、ユーザ体験を向上させる。
【００４５】
言うまでもなく、当業者にとって、上述した本発明の各モジュールまたは各ステップは、汎用のコンピュータ装置により実現することができ、単一のコンピュータ装置に集成してもよいし、複数のコンピュータ装置からなるネットワークに分布してもよい。或いは、コンピュータ装置が実行可能なプログラムコードにより実現してもよい。これにより、記憶装置に記憶してコンピュータ装置により実行することができ、或いは夫々集積回路モジュールに作製し、或いはそのうちの複数のモジュール又はステップを単一の集積回路モジュールに作製して実現することができる。このように、本発明は如何なる特定のハードウェアとソフトウェアの結合にも限定されない。
【００４６】
以上は、本発明の好適な実施例に過ぎず、本発明を限定するものではない。当業者であれば、本発明の様々な変更や変形が可能である。本発明の精神や原則を逸脱しないいずれの変更、置換、改良なども本発明の保護範囲内に含まれる。
【図１】
2015521417.tif 000003
【図２】
2015521417.tif 000004
【図３】
2015521417.tif 000005
【図４】
2015521417.tif 000006
【図５】
2015521417.tif 000007
【図６】
2015521417.tif 000008
【図７】
2015521417.tif 000009
【図８】
2015521417.tif 000010
【図９】
2015521417.tif 000011
【図１０】
2015521417.tif 000012
【国際調査報告】
2015521417.tif 000013
2015521417.tif 000014
2015521417.tif 000015
2015521417.tif 000016